(57)【要約】【課題】装置への組込が容易で然も風切音、ポップノイズの発生が少ないマイクロホンを提供する。【解決手段】  一面に複数の音孔が形成された音孔形成面を具備し、この音孔形成面の背面側に振動板を配置して構成されたマイクロホンユニットと、このマイクロホンユニットの音孔形成面に形成された複数の音孔すべてを覆う面形状を有し、音孔形成面に装着された多孔質性フィルタ素子と、端面が閉塞板によって閉塞された筒状体によって構成され、閉塞板とこの閉塞板と隣接する胴部と、マイクロホンユニットの音孔形成面とによって空洞を形成する姿勢でマイクロホンユニットを筒状の胴部内に支持する筒状ケースと、この筒状ケースの空洞の内部と空洞の外部とを連通させる音孔群とを具備して構成される。【選択図】図１
2004297765.tif 000002
【特許請求の範囲】
【請求項１】
Ａ．一面に複数の音孔が形成された音孔形成面を具備し、この音孔形成面の背面側に振動板を配置して構成されたマイクロホンユニットと、
Ｂ．このマイクロホンユニットの上記音孔形成面に形成された複数の音孔すべてを覆う面形状を有し、上記音孔形成面に装着された多孔質性フィルタ素子と、
Ｃ．端面が閉塞板によって閉塞された筒状体によって構成され、閉塞板とこの閉塞板と隣接する胴部と、上記マイクロホンユニットの上記音孔形成面とによって空洞を形成する姿勢で上記マイクロホンユニットを筒状の胴部内に支持する筒状ケースと、
Ｄ．この筒状ケースの上記空洞の内部と空洞の外部とを連通させる音孔群と、
を具備して構成されるマイクロホン。
【請求項２】
請求項１記載のマイクロホンにおいて、上記音孔群は上記閉塞板と胴部の双方に形成されていることを特徴とするマイクロホン。
【請求項３】
請求項１記載のマイクロホンにおいて、上記音孔群は上記閉塞板のみに形成され、音孔群の形成位置は上記多孔質性フィルタ素子の平面の面積の範囲より広い範囲にわたって配置することを特徴とするマイクロホン。
【請求項４】
請求項１記載のマイクロホンにおいて、上記音孔群は上記胴部の周方向の全周にわたって形成されていることを特徴とするマイクロホン。
【請求項５】
請求項１乃至４記載のマイクロホンの何れかにおいて、上記筒状ケースは一端が閉塞板で閉塞された金属ケースで形成されていることを特徴とするマイクロホン。
【請求項６】
請求項１乃至４記載のマイクロホンの何れかにおいて、上記筒状ケースは装置本体を格納するキャビネットと一体に形成されていることを特徴とするマイクロホン。
【請求項７】
請求項１乃至６記載のマイクロホンの何れかにおいて、上記マイクロホンユニットを構成する振動板には一部に貫通孔が形成されていることを特徴とするマイクロホン。
【請求項８】
請求項１乃至７記載のマイクロホンの何れかにおいて、上記マイクロホンユニットは低域除去フィルタ回路を内蔵していることを特徴とするマイクロホン。
【発明の詳細な説明】
【技術分野】
【０００１】
この発明は例えば録音装置或はビデオカメラ、携帯電話などに装着されて利用することができるマイクロホンに関し、特に風防効果と、周囲から出される低い周波数の騒音の混入を除去する機能を具備したマイクロホンを提供しようとするものである。
【背景技術】
【０００２】
従来よりマイクロホンに発生する風雑音を除去するための各種の提案が成されている。図１３に従来の風防付マイクロホンの構造を示す。図１３に示す１は例えばエレクトレットコンデンサマイクロホンのようなマイクロホンユニット、２はこのマイクロホンユニット１を支持するハウジング、３はマイクロホンユニット１の受音面を覆うウィンドスクリーンを示す。
ウィンドスクリーン３は例えばウレタン樹脂のように多孔質性樹脂材で形成され、音の通過を許しながら、風圧の通過を阻止し、音圧がマイクロホンユニット１の受圧面（振動板）に直接当ることを防止し、風雑音の発生を阻止する構造としている。このような構造は特許文献１にも記載されている。
【０００３】
一方、風雑音の一つにパフ雑音或はポップノイズと呼ばれている雑音がある。このパフ雑音又はポップノイズとは話者の唇にマイクロホンを接近して使用した場合、話者が「パ」とか「テエ」等の破裂音を発音とした場合に発生する雑音を指す。この雑音は唇から発せられた高い気流速度がマイクロホンカプセルを覆うために設けられている保護格子にぶつかる際に発生する乱流によって起きるものと考えられている。この種の雑音を除去するマイクロホンは特許文献２乃至特許文献４で提案されている。
【特許文献１】実開昭６３−１６５９９５号公報
【特許文献２】特許３０８９０２４号明細書
【特許文献３】特開２００２−２６２３８０公報
【特許文献４】特開平８−３２２０９６号公報
【発明の開示】
【発明が解決しようとする課題】
【０００４】
図１３及び特許文献１に示した従来の技術ではウィンドスクリーン１３が外部に露出して配置されるためマイクロホン全体の形状が大きくなる欠点がある。
また、特許文献２乃至特許文献４に記載されているマイクロホンはパフ雑音或はポップノイズを除去することができたとしても、周囲から到来する低い音の雑音を除去する機能を持たない。つまり、例えば工事現場のように大型機械が作動している近辺では低い周波数の雑音が多く、この低周波騒音が例えば携帯電話で通話相手に伝わると、話者の声が低周波雑音でかき消され通話相手に話者の声が伝わらない不具合が生じる。
【０００５】
また、録音機或は録音機能付ビデオレコーダなどで収録した場合も、周囲から低周波の雑音が混入すると、再生時には話者の声は低周波の雑音でかき消されてしまう不具合が生じる。
この発明の目的は小型でありながら風防効果を有し、さらに低周波の雑音を除去する機能を備えたマイクロホンを提供しようとするものである。
【課題を解決するための手段】
【０００６】
この発明の請求項１では一面に複数の音孔が形成された音孔形成面を具備し、この音孔形成面の背面側に振動板を配置して構成されたマイクロホンユニットと、このマイクロホンユニットの音孔形成面に形成された複数の音孔の全てを覆う面形状を有し、音孔形成面に装着された多孔質性フィルタ素子と、端部が閉塞板によって閉塞された筒状体によって構成され、閉塞板とこの閉塞板と隣接する胴部と、マイクロホンユニットの多孔質性フィルタ素子の装着面とによって空洞を形成する姿勢でマイクロホンユニットを筒状の胴部内に支持する筒状ケースと、この筒状ケースの空洞の内部と空洞の外部とを連通させる音孔群とを具備するマイクロホンを提案する。
【０００７】
この発明の請求項２では請求項１記載のマイクロホンにおいて、音孔群は閉塞板と胴部の双方に形成されているマイクロホンを提案する。
この発明の請求項３では請求項１記載のマイクロホンにおいて、音孔群は閉塞板のみに形成され、音孔群の形成位置は多孔質性フィルタ素子の平面の面積の範囲より広い範囲にわたって配置したマイクロホンを提案する。
この発明の請求項４では請求項１記載のマイクロホンにおいて、音孔群は胴部の周方向の全周にわたって形成されているマイクロホンを提案する。
【０００８】
この発明の請求項５では請求項１乃至４記載のマイクロホンの何れかにおいて、筒状ケースは一端が閉塞板で閉塞された金属ケースで形成されているマイクロホンを提案する。
この発明の請求項６では請求項１乃至４記載のマイクロホンの何れかにおいて、筒状ケースは装置本体を格納するキャビネットと一体に形成されているマイクロホンを提案する。
この発明の請求項７では請求項１乃至６記載のマイクロホンの何れかにおいて、マイクロホンユニットを構成する振動板には一部に貫通孔が形成されているマイクロホンを提案する。
【０００９】
この発明の請求項８では請求項１乃至７記載のマイクロホンの何れかにおいて、マイクロホンユニットは低域除去フィルタの回路を内蔵している構造としたマイクロホンを提案する。
【発明の効果】
【００１０】
この発明の請求項１で提案したマイクロホンによればマイクロホンユニットに形成された音孔には全てに多孔質性フィルタ素子が被せられ、全ての音孔が多孔質性フィルタ素子で覆われる。この構造により、筒状ケースの外部から音孔群を通じて空洞の内部に風が進入しても、風がマイクロホンユニットに形成されている音孔に直接当ることはなく、風切音又はポップノイズの発生が抑えられる。
更に、この発明の請求項２で提案したマイクロホンによれば音孔群を筒状ケースを構成する閉塞板と胴部の双方に形成されているから、仮に閉塞板に形成した音孔群を通じてマイクロホンユニットの音孔形成面に向って正面から風圧が印加されても、その風圧は多孔質性フィルタ素子に侵入し、その大部分は多孔質性フィルタ素子の内部で吸収されて低減されるが、多孔質性フィルタの側面からも排出され、その排出された空気流は筒状ケースの胴部に形成された音孔群から空洞の外部に排気される。従って、正面から風圧が与えられた場合でも空洞の内部の空気圧が上昇することはなく、この点で風切音或はポップノイズの発生が抑えられる。
【００１１】
更に、この発明の請求項３によれば音孔群は閉塞板のみに形成されるが、その音孔群の形成位置を多孔質性フィルタ素子の平面の面積の範囲より外側にはみ出して広い範囲に配置したから、閉塞板の正面から風圧が印加され、多孔質性フィルタ素子に風圧が侵入しても、その風圧による空気の流れは多孔質性フィルタ素子の側面から外部に排出され、排出された空気の流れは閉塞板に形成した音孔群の中の多孔質性フィルタ素子と対向する部分より外側に位置する多孔から空洞の外部に逃げ、空洞内部の空気圧が上昇することを阻止することができる。従って、この構造でも風切音及びポップノイズの発生を抑制することができる。
【００１２】
更に、この発明の請求項４で提案したマイクロホンの構造によれば音孔群が筒状体の胴部の周方向の全周にわたって形成されるから、あらゆる方向から到来する音を筒状ケース内部に導入することができる。然もどの方向から風圧が筒状ケースの内部に侵入しても、その風圧は筒状部を横断し、反対側に位置する音孔群から筒状ケースの外部に排気される。従って、この構造でも筒状ケース内部の圧力が上昇することはなく、風切音及びポップノイズの発生を抑制することができる。
この発明の請求項５で提案したマイクロホンの構造によれば筒状ケースを金属ケースで形成し、この金属ケースにマイクロホンユニットと多孔質性フィルタ素子を収納したから、形状が小さく風切音及びポップノイズの発生が少ないマイクロホンを得ることができる。
【００１３】
更に、この発明の請求項６によれば、筒状ケースを装置を収納するキャビネットと一体に形成し、キャビネットの一部をマイクロホンの支持部として利用し、更に、その支持構造により風切音及びポップノイズの発生を低減するから、例えば携帯電話機或はビデオカメラなどの機器に適用して好適である。
さらに、この発明の請求項７によれば、マイクロホンユニットを構成する振動板に貫通孔を形成したから、この貫通項の存在により低周波の音波に対して振動板の振動が抑制され、低い周波数の騒音を電気信号に変換する率を下げることができる。この結果、低い周波数の騒音を除去する機能を持つマイクロホンを提供することができる。
【００１４】
更に、この発明の請求項８によれば、マイクロホンユニットに低域除去フィルタ回路を内蔵したから、低い周波数の騒音を除去する機能を更に強化したマイクロホンを提供することができる。
【発明を実施するための最良の形態】
【００１５】
筒状ケースには少なくとも向の異なる２つの表面板を有し、この向の異なる２つの表面板の一方に第１音孔群を形成し、他方の表面板に第２音孔群を形成し、これにより互に向の異なる第１音孔群と第２音孔群を得る。これと共に第１音孔群と第２音孔群が形成された表面板の領域の背面側にマイクロホンユニットを配置する。マイクロホンユニットの音孔形成面を第１音孔群と第２音孔群を形成した領域と対向する姿勢で配置し、この音孔形成面と第１音孔群と第２音孔群を形成した表面板により空洞を形成し、この空洞の内部に多孔質性フィルタ素子を配置する。
【００１６】
互に向きが異なる方向に開口した第１音孔群と第２音孔群を具備していることにより、一方の音孔群から風圧が侵入したとしても、その風圧は他方の音孔群により外部に排出され、筒状ケース内部の特にマイクロホンユニットの音孔形成面付近で圧力の上昇を発生させることはなく、風切音及びポップノイズの発生を低減することができる。
【実施例１】
【００１７】
図１にこの発明によるマイクロホンの第１の実施例を示す。図１において１０は筒状ケース、２０はマイクロホンユニット、３０は多孔質性フィルタ素子を示す。
筒状ケース１０はこの例ではアルミニュームのような導電性金属板によって形成し図２に示すように円筒形状とした場合を示す。円筒状の筒状ケース１０の閉塞板１１に第１音孔群１１Ａを形成し、閉塞板１１に隣接した周面１２に第２音孔群１２Ａを形成する。
第１音孔群１１Ａと第２音孔群１２Ａが形成された閉塞板１１と周面１２とで囲まれた空洞１４の内部に例えばウレタン樹脂のような多孔質性フィルタ素子３０を収納する。更に筒状ケース１０の開口部分にマイクロホンユニット２０を嵌合させマイクロホンが完成する。
【００１８】
この発明で特徴とする構成は筒状ケース１０が閉塞板１１を有し、この閉塞板１１とこの閉塞板１１に隣接する周面１２に第１音孔群１１Ａと第２音孔群１２Ａを形成し、この第１音孔群１１Ａと第２音孔群１２Ａが形成された部分で囲まれた空洞１４に多孔質性フィルタ素子３０を収納し、この多孔質性フィルタ３０でマイクロホンユニット２０の音孔形成面を塞ぐ構造とした点と、マイクロホンユニット２０に用いられる振動板はその一部に孔が開けられている点と、マイクロホンユニット２０に低域除去フィルタを内蔵した点にある。
【００１９】
第１音孔群１１Ａと第２音孔群１２Ａをほぼ９０°異なる方向に向けて形成し、更に、第２音孔群１２Ａを多孔質性フィルタ素子３０の側面に対向させて配置することにより、第１音孔群１１Ａから強い風圧が侵入しても、その風圧は多孔質性フィルタ素子３０で減衰されるが、更に多孔質性フィルタ素子３０の側面から排出され、その排出された空気流は第２音孔群１２Ａから外部に排気される。これにより風切音及びポップノイズの発生が抑えられる。
図３にマイクロホンユニット２０の内部構造の一例を示す。この例ではエレクトレットコンデンサマイクロホンの構造を例示して説明する。エレクトレットコンデンサマイクロホンは周知のように振動板２１と、背極２２と、この背極２２を支持する絶縁リング２３と、ゲートリング２４と、回路基板２５と、これらを一体に収納し、開口部で加締て一体化する金属性カプセル２６とによって構成される。
【００２０】
カプセル２６は開口部の反対側は閉塞端とされ、その閉塞端面に複数の音孔２６Ａが形成され、この面が音孔形成面２６Ｂとされる。
振動板２１は高分子材料で形成されたフィルム２１Ａと、このフィルム２１Ａに張力を与えてフィルム２１Ａを張った状態に維持する導電リング２１Ｂとによって構成される。フィルム２１Ａの一方の面に導電層が蒸着等により形成され、この導電層が背極２２と対向して配置され、振動板２１と背極２２との間で静電容量を形成する。
振動板２１を構成するフィルム２１Ａは厚み方向に帯電され、この帯電により背極２２との間に電界を発生させ、振動板２１の振動を電気信号に変換する。
【００２１】
ここで、この発明では振動板２１を構成するフィルム２１Ａに孔２１Ｃを形成する。図３に示す例では振動板２１のほぼ中央位置に孔２１Ｃを形成した場合を示す。孔２１Ｃは例えばレーザ光で形成し、数１００ミクロ程度の直径とされる。この程度の直径の孔２１Ｃを形成することにより、波長の長い低い周波数の音波はフィルム２１Ａの表側と裏側の双方に同時に伝わり、フィルム２１Ａの振動を抑制する作用を呈する。このために、低い周波数の音波に対して感度を低下させることができる。
一方、この発明では更に回路基板２５に低域除去フィルタ回路を搭載した構造を提案するものである。図４に低域除去フィルタ回路の構造を示す。図４に破線で示すブロック図は図３で説明したカプセル２６を示す。カプセル２６は電気的に共通電位に接続され、マイクロホンユニット２０の全体を覆ってシールドする部材として作用する。
【００２２】
カプセル２６に振動板２１が電気的に接続され、背極２２が前置増幅器として動作するＩＣの入力端子に接続される。ＩＣはオープンコレクタ構造の出力形式で構成され、マイクロホンユニット２０の外部に接続した負荷抵抗器ＲＬを通じて電源電圧が与えられてＩＣが動作状態を維持する。出力端子２５Ａは回路基板２５に形成した電極２５Ａに対応し、この出力端子２５ＡにカップリングコンデンサＣを接続することにより、このカップリングコンデンサＣを通じて振動板２１の振動で発生した電圧信号を取り出すことができる。
【００２３】
ここでＩＣの出力側に接続したコンデンサＣ１は高周波ノイズを除去するためのコンデンサである。高周波ノイズとは例えば携帯電話が受発信する８００ＭＨｚのような高周波数信号が近傍で発射された際に、その電磁波がマイクロホンユニット２０に作用し、ノイズを発生させる場合がある。このノイズをここでは高周波ノイズと称し、コンデンサＣ１の存在によりこの高周波ノイズを除去することができる。
ＩＣと出力端子２５Ａとの間にこの発明で搭載する低域除去フィルタ回路２７を挿入する。低域除去フィルタ回路２７は出力端子２５Ａと共通電位との間に接続したトランジスタＴＲと、このトランジスタＴＲに順方向バイアス信号を与える抵抗器Ｒ１、Ｒ２と、トランジスタＴＲのベースにＩＣの出力信号から低域成分を入力するためのコンデンサＣ２とによって構成することができる。
【００２４】
コンデンサＣ２を通じてトランジスタＴＲに与えられた低域信号はトランジスタＴＲのコレクタ側に位相が反転して出力される。位相が反転されて出力された低域成分は抵抗器Ｒ１を通じて出力端子２５Ａに到来する低域成分と相殺される。従って、カップリングコンデンサＣを通じて出力される信号成分の中の低域成分のレベルを低下させることができる。
図５にこの発明によるマイクロホンユニットの周波数特性を示す。この周波数特性は振動板２１に孔２１Ｃを明け、更に低域除去フィルタ回路２７を付加したマイクロホンの周波数特性（実線Ａ）を示す。図中点線で示す曲線Ｂはこれらの対策を施していない従来のエレクトレットコンデンサマイクロホンの周波数特性を示す。
【００２５】
この測定例によれば約４００〜５００Ｈｚ付近から低下が始まり２００Ｈｚ付近では従来のマイクロホンと比較して約６ｄＢ程度減衰量が大きく、２００Ｈｚより低い周波数では急激に減衰量が大きくなる特性を呈する。
従って、低い周波数の騒音に対して感度を低下させることができ、低い周波数の騒音が電気信号として収音される率を大きく低減させることができる。
これに対して４００Ｈｚ以上の周波数に対しては従来のマイクロホンと何等変わることなく電気信号に変換するから音声信号（４００〜２ＫＨｚ）は従来と変わりなく電気信号に変換され、明瞭度の高い音声を収音することができる。尚、図５に示した測定例によれば感度の低下を始める周波数が４００〜５００Ｈｚである場合を示したが、感度の低下を始める周波数は低域除去フィルタ２７に用いたコンデンサＣ２と抵抗器Ｒ１、Ｒ２の値を適宜に選択することによって任意に設定することができる。
【実施例２】
【００２６】
図６にこの発明の第２の実施例を示す。図６に示す実施例では筒状ケース１０を筒状のキャビネットとした場合を示す。キャビネットは樹脂材で形成される。
筒状ケース１０はこの例でも円筒形とされ、その一方の開口端を塞ぐ閉塞板１１と、この閉塞板１１と向が異なる周面１２とを具備する。これらの閉塞板１１と周面１２に第１音孔群１１Ａと第２音孔群１２Ａとを形成する。これにより第１音孔群１１Ａと第２音孔群１２Ａの各音孔の向は互に約９０°の異なる方向に開口される。
第１音孔群１１Ａと第２音孔群１２Ａを形成した閉塞板１１と周面１２の各領域の背面側にマイクロホンユニット２０を配置し、空洞１４を形成する。この実施例では筒状ケース１０の内周において、第１音孔群１１Ａと第２音孔群１２Ａを形成した領域と他の領域とを隔離する位置に内向にリング状に突出したフランジ部１３を形成し、このフランジ部１３にマイクロホンユニット２０の前端面の周縁を押し付け、このフランジ部１３とプリント配線基板４０との間にマイクロホンユニット２０を挟持させる構造とした場合を示す。
【００２７】
更に、この実施例ではマイクロホンユニット２０を弾性材で形成したゴムホルダ５０で包み、このゴムホルダ５０を介して筒状ケース１０の内壁に固定し、筒状ケース１０を与えられる振動がマイクロホンユニット２０に伝わらない構造とした場合を示す。ゴムホルダ５０にはこの例では一対のバネ接点５１が埋めこまれており、このバネ接点５１の各一端がマイクロホンユニットの各端子（特に図示しない）に接触し、他端側がプリント配線基板４０に形成した導電端子（特に図示しない）に接触し、バネ接点５１を通じてマイクロホンユニット２０をプリント配線基板４０に電気的に接続する構造とした場合を示す。
【００２８】
マイクロホンユニット２０の前面側、つまり音孔形成面２６Ｂが形成される側の面は第１音孔群１１Ａと第２音孔群１２Ａを形成した領域に向って配置され、その前面に多孔質性フィルタ素子３０を装着する。
多孔質性フィルタ素子３０は図１の実施例でも説明したように発泡ウレタンのような多孔質性のフィルタ素子を用いることができる。多孔質性フィルタ素子３０はこの例では円柱形とされ、その一方の端面がマイクロホンユニット２０の前面に装着され、他方の端部は第1音孔群１１Ａを形成した筒状ケース１０の閉塞板１１の裏面に接触される。第1音孔群１１Ａの全ての音孔は多孔質性フィルタ素子３０の範囲に含まれ、多孔質性フィルタ素子３０で塞がれる。これに対し、第２音孔群１２Ａは多孔質性フィルタ素子３０で塞がれることなく、開放状態とされる。
【００２９】
この構造により、第１音孔群１１Ａから風圧が侵入した場合、或は第１音孔群１１Ａから話者の口元から強い音圧が与えられた場合には、風圧又は音圧は第１音孔群１１Ａを通じて多孔質性フィルタ素子３０に侵入するが、その大部分は多孔質性フィルタ素子３０で減衰される。多孔質性フィルタ素子３０で減衰不能な強い風圧、又は音圧が存在した場合にはその風圧又は音圧は多孔質性フィルタ素子３０の側部から洩れ、第２音孔群１２Ａを通じて筒状ケース１０の外側に逃げる。この結果、大きな風圧或は大きい音圧（ポップノイズの発生原因となる発音の音圧）が侵入しても第２音孔群１２Ａから逃げるため、風切音及びポップノイズの発生を回避することができる。
【実施例３】
【００３０】
図７及び図８を用いてこの発明の第３の実施例を説明する。図１及び図６と対応する部分には同一符号を付し、重複する部分の説明は省略する。
この実施例では偏平な角型キャビネット６０の角の部分の内側に筒状ケース１０を一体に形成した場合を示す。つまり、キャビネット６０の角の部分の内側に隔壁６１を形成し、この隔壁６１とキャビネットの側面板６３とによって筒状ケース１０を構成する。ここでは筒状ケース１０の断面形状は角形とされるが、隔壁６１とキャビネットの側面板６３から内向に突出するフランジ部１３には円形の貫通孔を形成し、円形のマイクロホンユニット２０の前端面の周縁をこの貫通孔の縁に押し当て、マイクロホンユニット２０を固定すればよい。
【００３１】
この場合も、キャビネット６０を構成する表面板６２に第１音孔群１１Ａを形成し、側面板６３に第２音孔群１２Ａを形成し、この第２音孔群１２Ａを多孔質性フィルタ素子３０の側面を対向させて配置することにより図１及び図６で説明した実施例と同等の作用効果を得ることができる。
【実施例４】
【００３２】
図９及び図１０を用いて第４の実施例を説明する。この実施例ではキャビネット６０の表面に球面状の膨らみを形成し、この膨らみ部分の内側を取囲んで筒状ケース１０を形成した場合を示す。ふくらみ部分には全面に第１音孔群１１Ａを形成する。
ここでは第１音孔群１１Ａは多孔質性フィルタ素子３０の平面の領域より広い面積にわたって第１音孔群１１Ａを形成し、多孔質性フィルタ素子３０の側面は筒状ケース１０の内部に形成される空洞に露出させる。
この構造とした場合には第１音孔群１１Ａから侵入した音圧は多孔質性フィルタ素子３０で減衰されてマイクロホンユニット２０に向って進行するが、多孔質性フィルタ素子３０の側面の抵抗が低いことから、多孔質性フィルタ素子３０の側面から洩れ、洩れた風圧は第１音孔群１１Ａの中の多孔質性フィルタ素子３０で塞がれていない音孔群から排出され、空洞１４の内部の圧力を高めることはない。従って図１及び図６で説明した実施例と同様の作用効果を得ることができる。
【実施例５】
【００３３】
図１１及び図１２を用いてこの発明の第５の実施例を説明する。この実施例では全体が筒状のキャビネット６０の一端側をマイクロホン用の筒状ケース１０として利用した実施例を示す。
つまり、端部が閉塞された筒状のキャビネット６０の一端側の内壁にフランジ部１３を突設し、このフランジ部１３とプリント配線基板４０の間にゴムホルダ５０に包まれたマイクロホンユニット２０を挟み付けて固定する。マイクロホンユニット２０の音孔形成面２６Ｂはキャビネット６０の一方の閉塞端に向って配置され、その音孔形成面２６Ｂに多孔質性フィルタ素子３０が装着される。キャビネット６０の閉塞端と音孔形成面２６Ｂとによって空洞１４を形成する。筒状ケース１０の閉塞端側の周面に空洞１４の内側と外側とを連通させる第２音孔群１２Ａを形成する。つまり、この実施例では第２音孔群１２Ａを筒状ケース１０の周面に周方向の全周にわたって形成した場合を示す。
【００３４】
この実施例によれば第２音孔群１２Ａが筒状ケース１０の胴部の全周にわたって形成されるから、何れの方向から風圧が加わった場合でも、空洞１４の内部を通過し通り抜けるだけであるから、空洞内の圧力が高まることはなく、風切音及びポップノイズの発生は抑えられ、またマイクロホンユニット２０に付した低域除去特性により低周波の騒音の混入を阻止することができる。
【産業上の利用可能性】
【００３５】
この発明によるマイクロホンは携帯電話機或はビデオカメラ、等に実装して利用される。
【図面の簡単な説明】
【００３６】
【図１】この発明の実施例１を説明するための断面図。
【図２】図１の正面図。
【図３】図１及び図２にに示した実施例に用いたマイクロホンユニットの内部構造の一例を説明するための分解斜視図。
【図４】この発明に用いた低域除去フィルタ回路の一例を説明するための接続図。
【図５】この発明によるマイクロホンの周波数特性を測定した一例を示す特性曲線図。
【図６】この発明の実施例２を説明するための拡大断面図。
【図７】この発明の実施例３を説明するための拡大断面図。
【図８】図７に示した実施例の要部を説明するための拡大斜視図。
【図９】この発明の実施例４を説明するための拡大断面図。
【図１０】図９の正面図。
【図１１】この発明の実施例５を説明するための拡大断面図。
【図１２】図１１の側面図。
【図１３】従来の技術を説明するための断面図。
【符号の説明】
【００３７】
１０      筒状ケース                      ２６Ｂ    音孔形成面
１１      閉塞板                          ３０    多孔質性フィルタ素子
１１Ａ    第１音孔群                      ４０    プリント配線基板
１２Ａ    第２音孔群                      ５０    ゴムホルダ
１３      フランジ部                      ６０    キャビネット
１４      空洞
２０      マイクロホンユニット
【図１】
2004297765.tif 000003
【図２】
2004297765.tif 000004
【図３】
2004297765.tif 000005
【図４】
2004297765.tif 000006
【図５】
2004297765.tif 000007
【図６】
2004297765.tif 000008
【図７】
2004297765.tif 000009
【図８】
2004297765.tif 000010
【図９】
2004297765.tif 000011
【図１０】
2004297765.tif 000012
【図１１】
2004297765.tif 000013
【図１２】
2004297765.tif 000014
【図１３】
2004297765.tif 000015